(57)【要約】【課題】複数組の原稿束の複写物に、複写順序で連続した通し番号を付与することができる画像形成装置を提供すること目的とする。【解決手段】画像形成ジョブで指定される記録画像に、所定の付加画像を合成して記録出力する機能を備えた画像形成装置において、複数の画像形成ジョブを通して連続した番号を、前記付加画像としてそれぞれのページ毎に合成記録するジョブ連番ページ印字機能を備えたものである。また、前記ジョブ連番ページ印字機能で合成記録する前記付加画像のページ数の開始番号は、ユーザにより設定可能にされているものである。また、前記ジョブ連番ページ印字機能で合成記録する前記付加画像のページ数の桁数は、ユーザにより設定可能にされているものである。【選択図】        図１
2007258859.tif 000002
【特許請求の範囲】
【請求項１】
画像形成ジョブで指定される記録画像に、所定の付加画像を合成して記録出力する機能を備えた画像形成装置において、
複数の画像形成ジョブを通して連続した番号を、前記付加画像としてそれぞれのページ毎に合成記録するジョブ連番ページ印字機能を備えたことを特徴とする画像形成装置。
【請求項２】
前記ジョブ連番ページ印字機能で合成記録する前記付加画像のページ数の開始番号は、ユーザにより設定可能にされていることを特徴とする請求項１記載の画像形成装置。
【請求項３】
前記ジョブ連番ページ印字機能で合成記録する前記付加画像のページ数の桁数は、ユーザにより設定可能にされていることを特徴とする請求項１または請求項２記載の画像形成装置。
【請求項４】
前記ジョブ連番ページ印字機能を用いた画像形成ジョブにおいて、前記ジョブ連番ページ印字機能で合成記録する前記付加画像のページ数の桁数が、現在設定されている桁数からあふれる場合、一旦、画像形成動作を停止し、ユーザに、以降のページ数の桁数を変更するか、あるいは、現在の桁数を維持するかを選択させ、
ユーザが現在の桁数を維持する旨を選択した場合には、ページ数の付加画像として、最下位桁から現在の桁数までの部分を用いるようにしたことを特徴とする請求項１または請求項２または請求項３記載の画像形成装置。
【請求項５】
前記ジョブ連番ページ印字機能を用いた画像形成ジョブにおいて、前記ジョブ連番ページ印字機能で合成記録する前記付加画像のページ数の桁数が、現在設定されている桁数からあふれる場合に、以降のページ数の桁数を変更するか、あるいは、現在の桁数を維持するか、あるいは、画像形成動作を中断するかを、あらかじめ設定させておくことを特徴とする請求項１または請求項２または請求項３記載の画像形成装置。
【発明の詳細な説明】
【技術分野】
【０００１】
本発明は、画像形成ジョブで指定される記録画像に、所定の付加画像を合成して記録出力する機能を備えた画像形成装置に関する。
【背景技術】
【０００２】
従来、画像形成ジョブで指定される記録画像に、所定の付加画像を合成して記録出力する機能を備えた画像形成装置としては、例えば、複写ジョブ（画像形成ジョブ）における複写画像の所定領域に、あらかじめ設定された文字列の付加画像を合成するようにした任意文字印字機能を備えたものがあった。
【０００３】
あるいは、アノテーションの有効／無効を設定し、開始番号指定部に任意のページ番号を入力し、また「継続」ボタンを操作して直前に付加されたページ番号のつぎのページ番号を指定しページ番号メモリの内容を制御するようにしたものが提案されている（特許文献１参照）
【特許文献１】特開２００３−２７４１５１号公報
【発明の開示】
【発明が解決しようとする課題】
【０００４】
ところで、複写ジョブのユーザ要求動作として、複数組の原稿束の複写物に、複写順序で連続した通し番号を付与したいというものがあったが、従来装置では、そのような機能を実現することができなかった。
【０００５】
本発明は、かかる実情に鑑みてなされたものであり、複数組の原稿束の複写物に、複写順序で連続した通し番号を付与することができる画像形成装置を提供すること目的とする。
【課題を解決するための手段】
【０００６】
本発明は、画像形成ジョブで指定される記録画像に、所定の付加画像を合成して記録出力する機能を備えた画像形成装置において、複数の画像形成ジョブを通して連続した番号を、前記付加画像としてそれぞれのページ毎に合成記録するジョブ連番ページ印字機能を備えたものである。
【０００７】
また、前記ジョブ連番ページ印字機能で合成記録する前記付加画像のページ数の開始番号は、ユーザにより設定可能にされているものである。
【０００８】
また、前記ジョブ連番ページ印字機能で合成記録する前記付加画像のページ数の桁数は、ユーザにより設定可能にされているものである。
【０００９】
また、前記ジョブ連番ページ印字機能を用いた画像形成ジョブにおいて、前記ジョブ連番ページ印字機能で合成記録する前記付加画像のページ数の桁数が、現在設定されている桁数からあふれる場合、一旦、画像形成動作を停止し、ユーザに、以降のページ数の桁数を変更するか、あるいは、現在の桁数を維持するかを選択させ、ユーザが現在の桁数を維持する旨を選択した場合には、ページ数の付加画像として、最下位桁から現在の桁数までの部分を用いるようにしたものである。
【００１０】
また、前記ジョブ連番ページ印字機能を用いた画像形成ジョブにおいて、前記ジョブ連番ページ印字機能で合成記録する前記付加画像のページ数の桁数が、現在設定されている桁数からあふれる場合に、以降のページ数の桁数を変更するか、あるいは、現在の桁数を維持するか、あるいは、画像形成動作を中断するかを、あらかじめ設定させておくようにしたものである。
【発明の効果】
【００１１】
したがって、本発明によれば、複数組の原稿束の複写物に、複写順序で連続した通し番号を付与することができるという効果を得る。
【発明を実施するための最良の形態】
【００１２】
以下、添付図面を参照しながら、本発明の実施の形態を詳細に説明する。
【００１３】
図１は、本発明の一実施例にかかるカラー複写装置の一例を示している。
【００１４】
同図において、システム制御部１は、このカラー複写装置の各部の制御処理、および、ファクシミリ伝送制御手順処理などの各種制御処理を行うものであり、システムメモリ２は、ＲＯＭ（リード・オンリ・メモリ）およびＲＡＭ（ランダム・アクセス・メモリ）からなり、システム制御部１が実行する制御処理プログラム、および、処理プログラムを実行するときに必要な各種データなどを記憶するとともに、システム制御部１のワークエリアを構成するものであり、パラメータメモリ３は、ＮＶ−ＲＡＭ（不揮発性ＲＡＭ）からなり、このカラー複写装置に固有な各種の情報を記憶するためのものであり、時計回路４は、現在時刻情報を出力するものである。
【００１５】
カラースキャナ５は、所定の解像度で原稿画像を、モノクロあるいはフルカラーで読み取るためのものであり、カラープロッタ６は、所定の解像度で画像を、モノクロあるいはフルカラーで記録出力するためのものであり、操作表示部７は、このカラー複写装置を操作するためのもので、各種の操作キー、および、各種の表示器からなる。
【００１６】
画像処理部８は、複写画像にジョブ連番ページ印字番号等の付加画像を合成する画像合成処理や、変倍処理、色合い調整処理など、種々の画像処理を行うためのものである。
【００１７】
これらの、システム制御部１、システムメモリ２、パラメータメモリ３、時計回路４、カラースキャナ５、カラープロッタ６、操作表示部７、および、画像処理部８は、内部バス９に接続されており、これらの各要素間でのデータのやりとりは、主としてこの内部バス９を介して行われている。
【００１８】
図２は、操作表示部７の具体例を示している。
【００１９】
同図において、プリントキー７ａは、複写動作の開始を指令入力するためのものであり、Ｃ／Ｓキー７ｂは、複写動作の停止等を指令入力するためのものであり、テンキー７ｃは、複写部数やジョブ連番ページ印字機能におけるジョブ連番ページ印字番号などを操作入力するためのものである。
【００２０】
液晶タッチパネル７ｄは、画面表示装置として用いられる液晶表示装置の表示画面に、画面内の操作要素をタッチ操作するための座標入力装置として用いられるタッチパネルを付設してなるものであり、装置からユーザへのマンマシンインタフェースに適用されるものである。
【００２１】
リセットキー７ｅは、ユーザの操作した内容を初期状態に復帰させるためのものであり、ジョブ連番キー７ｆは、ジョブ連番ページ印字機能を選択／選択解除するためのものであり、トグル動作する。また、ジョブ連番キー７ｆには、発光ダイオード等の照明手段（図示略）が内蔵されていて、ジョブ連番ページ印字機能が設定されている間は点灯表示することで、ジョブ連番ページ印字機能が継続しているか否かをユーザが明確に知りうるようにしている。また、初期設定キー７ｇは、所定の初期設定情報を操作入力するためのものである。
【００２２】
以上の構成で、ジョブ連番ページ印字機能を用いて複写動作する際の処理の一例を図３に示す。
【００２３】
まず、ジョブ連番ページ印字機能を使用する旨が設定されているかどうかを調べる（判断１０１）。判断１０１の結果がＹＥＳになるときには、パラメータメモリ３に保存されているジョブ連番ページ印字番号の開始ページ番号を読み込む（処理１０２）。
【００２４】
ここで、ユーザが開始ページ番号を変更する旨を操作した場合には（判断１０３の結果がＹＥＳ）、ユーザに適宜な操作画面を表示して開始ページ番号を入力させる（処理１０４）。また、ユーザが印字桁数を変更する旨を操作した場合には（判断１０５の結果がＹＥＳ）、ユーザに適宜な操作画面を表示して印字桁数を入力させる（処理１０６）。そして、ユーザがプリントキー７ａを押し下げるまで待つ（判断１０７のＮＯループ）。
【００２５】
なお、印字桁数については、現在の開始ページ番号の桁数よりも小さい桁数が指定された場合、開始ページ番号の最下位桁から上位桁に向かって、指定された桁数を確保し、印字する。例えば、開始ページ番号が「１２３」であるときに、印字桁数が「２」と指定された場合には、開始ページ番号の表示を「２３」に設定する。
【００２６】
また、現在の開始ページ番号の桁数よりも大きい桁数が指定された場合、上位桁には数字「０」を詰め込み（パディング）、印字ページ番号を構成する。例えば、開始ページ番号が「１２３」であるときに、印字桁数が「５」と指定された場合には、開始ページ番号の表示を「００１２３」に設定する。
【００２７】
さて、ユーザがプリントキー７ａを押し下げて、複写動作の開始を指令すると、判断１０７の結果がＹＥＳとなり、所定のジョブ連番ページ印字機能を用いた複写動作のジョブ処理を行う（処理１０８）。
【００２８】
この処理１０８の複写動作が正常に終了すると（判断１０９の結果がＹＥＳ）、最終ページに合成したジョブ連番ページ印字番号に１を加えた値を、開始ページ番号としてパラメータメモリ３に記憶する（処理１１０）。これにより、次のジョブの開始時には、直前のジョブの最終ページに付加されたジョブ連番ページ印字番号の次の番号から、ジョブ連番ページ印字番号が付与されることとなる。
【００２９】
図４は、ジョブ連番ページ印字機能を用いた複写動作のジョブ処理の一例を示している。
【００３０】
まず、カラースキャナ５のＡＤＦ（自動原稿搬送装置；図示略）にセットされている原稿を、ＡＤＦにより１ページずつ分離して読み取り（処理２００）、ジョブ連番ページ印字番号の印字データを、処理２００で読み取って得た画像データに合成し、カラープロッタ６より、合成後の複写画像を記録出力する（処理２０１）。ここで、１ページ目のジョブ連番ページ印字番号は、処理１０２で読み込まれた開始ページ番号の値となる。
【００３１】
ここで、カラースキャナ５のＡＤＦにセットされている原稿がなくなり、ジョブが終了したかどうかを調べる（判断２０２）。判断２０２の結果がＹＥＳになるときには、このときの複写動作を終了する。
【００３２】
また、判断２０２の結果がＮＯになるときには、ジョブ連番ページ印字番号の値をインクリメントして１つ増やし（処理２０３）、その後のジョブ連番ページ印字番号の桁数が、印字桁数を超えるかどうかを調べる（判断２０４）。判断２０４の結果がＮＯになるときには、処理２００へ戻り、次のページの複写動作を行う。
【００３３】
また、判断２０４の結果がＹＥＳになるときには、複写ジョブ動作を一時停止し、図５（ａ）に示すようなガイダンスメッセージを、操作表示部７に表示して、ユーザに印字数字が印字桁数を超えた旨を通知するとともに、画面中に、桁数を維持して印刷動作を継続する旨を指令するためのボタンＢＢ１、印字桁数を変更する旨を指示するためのボタンＢＢ２、それ以降の印刷動作を中止する旨を指示するためのボタンＢＢ３を表示して、ユーザがいずれかのボタンを押すように要求する（処理２０５）。
【００３４】
このガイダンスメッセージの表示に対して、ユーザがボタンＢＢ３を選択操作したかどうかを調べ（判断２０６）、判断２０６の結果がＹＥＳになるときには、このときの動作を終了（エラー終了）する。なお、この場合には、開始ページ番号の更新は行わない。
【００３５】
また、ユーザがボタンＢＢ３以外のボタンを選択操作した場合で、判断２０６の結果がＮＯになるときには、ボタンＢＢ２を操作したかどうかを調べる（判断２０７）。判断２０７の結果がＹＥＳになるときには、図５（ｂ）に示すような印字桁数の入力画面を表示して、ユーザに印字桁数を入力させ（処理２０８）、処理２００へ戻り、次のページの複写動作を行う。
【００３６】
ここで、この印字桁数の入力画面では、入力フィールドＮＦ１にユーザが操作入力した印字桁数が表示され、継続ボタンＢＢ５を操作すると、入力された桁数が確定して、次の動作へ進む。また、中止ボタンＢＢ６が操作された場合には、印字桁数の入力画面を終了し、１つ前の画面に戻る。
【００３７】
また、ボタンＢＢ１が操作された場合で、判断２０７の結果がＮＯになるときには、ジョブ連番ページ印字数字を、現在の表示桁数を維持するように再設定し（処理２０９）、処理２００へ戻って次のページの複写動作を行う。例えば、ジョブ連番ページ印字番号が「１０００」になった場合で、印字桁数の設定が３桁であった場合、ジョブ連番ページ印字番号を「０００」に再設定する。
【００３８】
このようにして、本実施例では、複数組の原稿束を複写する際、全ての原稿束の原稿に、原稿束の複写順序を維持した状態で、通しで連番ページ番号を印字することができるので、非常に便利である。
【００３９】
また、例えば、印字桁数を４桁、開始ページ印字番号を９９９８として原稿５ページのコピージョブを行う場合を考えると、原稿１ページ目のページ番号は９９９８となり、原稿２ページ目のページ番号は９９９９である。原稿３ページ目のページ番号は本来１００００であるが最初に設定されている印字桁数を超えるので、ここでジョブを一時停止し、印刷を中断するか、印字桁数を５桁に増やしジョブを継続するか、印字桁数を４桁のまま変えずにジョブ継続するかをユーザーの指示で選択する。
【００４０】
印字桁数を５桁に増やしジョブを継続する場合、原稿３ページ目の印字数字は１００００となり、ジョブ終了時のページ印字番号は１０００２となる。そして、パラメータメモリ３には次の番号１０００３が記録される。
【００４１】
一方、印字桁数を４桁のまま変えずにジョブを継続する場合、原稿３ページ目の印字数字は０となり、ジョブ終了時のページ印字番号は２となる。ここで、ジョブ終了時の本来のページ数は１０００２であるので、パラメータメモリ３に記録される番号は１０００３となる。
【００４２】
ところで、上述した実施例では、ジョブ連番ページ印字番号の印字桁数が設定された桁数からあふれる場合、ジョブを一時停止して、ユーザにその後の動作の指示を仰いでいるが、ジョブ連番ページ印字番号の印字桁数が設定された桁数からあふれる場合の動作を、あらかじめ設定しておくこともできる。
【００４３】
このような設定は、初期設定キー７ｇを押下操作して表示される初期設定画面で行うことができる。
【００４４】
初期設定画面の一例を図６（ａ）に示す。この画面中の印字数字桁あふれ時のボタンＢＢ１０を押すことで、ジョブ連番ページ印字番号の印字桁数が設定された桁数からあふれる場合の動作を指定するための画面（同図（ｂ）参照）に移行する。
【００４５】
ここでは、一時停止してユーザの指示を仰ぐ旨を指定するボタンＢＢ１１、桁数を変えずに自動継続する旨を指定するボタンＢＢ１２、印刷を中止する旨を指定するボタンＢＢ１３、桁数を増やして自動継続する旨を指定するボタンＢＢ１４のいずれかを選択することができ、その選択内容は、パラメータメモリ３に保存される。
【００４６】
図７は、この場合にジョブ連番ページ印字機能を用いた複写動作のジョブ処理の一例を示している。
【００４７】
まず、カラースキャナ５のＡＤＦにセットされている原稿を、ＡＤＦにより１ページずつ分離して読み取り（処理３００）、ジョブ連番ページ印字番号の印字データを、処理３００で読み取って得た画像データに合成し、カラープロッタ６より、合成後の複写画像を記録出力する（処理３０１）。ここで、１ページ目のジョブ連番ページ印字番号は、処理１０２で読み込まれた開始ページ番号の値となる。
【００４８】
ここで、カラースキャナ５のＡＤＦにセットされている原稿がなくなり、ジョブが終了したかどうかを調べる（判断３０２）。判断３０２の結果がＹＥＳになるときには、このときの複写動作を終了する。
【００４９】
また、判断３０２の結果がＮＯになるときには、ジョブ連番ページ印字番号の値をインクリメントして１つ増やし（処理３０３）、その後のジョブ連番ページ印字番号の桁数が、印字桁数を超えるかどうかを調べる（判断３０４）。判断３０４の結果がＮＯになるときには、処理３００へ戻り、次のページの複写動作を行う。
【００５０】
また、判断３０４の結果がＹＥＳになるときには、印字数字桁あふれ時の動作として、ユーザの指示を待つ旨が登録されているかどうかを調べる（判断３０５）。判断３０５の結果がＹＥＳになるときには、複写ジョブ動作を一時停止し、図５（ａ）に示すようなガイダンスメッセージを、操作表示部７に表示して、ユーザに印字数字が印字桁数を超えた旨を通知するとともに、画面中に、桁数を維持して印刷動作を継続する旨を指令するためのボタンＢＢ１、印字桁数を変更する旨を指示するためのボタンＢＢ２、それ以降の印刷動作を中止する旨を指示するためのボタンＢＢ３を表示して、ユーザがいずれかのボタンを押すように要求する（処理３０６）。
【００５１】
このガイダンスメッセージの表示に対して、ユーザがボタンＢＢ３を選択操作したかどうかを調べ（判断３０７）、判断３０７の結果がＹＥＳになるときには、このときの動作を終了（エラー終了）する。なお、この場合には、開始ページ番号の更新は行わない。
【００５２】
また、ユーザがボタンＢＢ３以外のボタンを選択操作した場合で、判断３０７の結果がＮＯになるときには、ボタンＢＢ２を操作したかどうかを調べる（判断３０８）。判断３０８の結果がＹＥＳになるときには、図５（ｂ）に示すような印字桁数の入力画面を表示して、ユーザに印字桁数を入力させ（処理３０９）、処理３００へ戻り、次のページの複写動作を行う。
【００５３】
ここで、この印字桁数の入力画面では、入力フィールドＮＦ１にユーザが操作入力した印字桁数が表示され、継続ボタンＢＢ５を操作すると、入力された桁数が確定して、次の動作へ進む。また、中止ボタンＢＢ６が操作された場合には、印字桁数の入力画面を終了し、１つ前の画面に戻る。
【００５４】
また、ボタンＢＢ１が操作された場合で、判断３０８の結果がＮＯになるときには、ジョブ連番ページ印字数字を、現在の表示桁数を維持するように再設定し（処理３１０）、処理３００へ戻って次のページの複写動作を行う。例えば、ジョブ連番ページ印字番号が「１０００」になった場合で、印字桁数の設定が３桁であった場合、ジョブ連番ページ印字番号を「０００」に再設定する。
【００５５】
また、判断３０５の結果がＮＯになるときには、印字数字桁あふれ時の動作として、印刷中止が登録されているかどうかを調べる（判断３１１）。判断３１１の結果がＹＥＳになるときには、このときの動作を終了（エラー終了）する。なお、この場合には、開始ページ番号の更新は行わない。
【００５６】
また、判断３１１の結果がＮＯになるときには、印字数字桁あふれ時の動作として、桁数を増やして自動継続する旨が登録されているかどうかを調べる（判断３１２）。判断３１２の結果がＹＥＳになるときには、そのときに設定されている表示桁数を１つ増やし（処理３１３）、処理３００へ戻って次のページの複写動作を行う。また、印字数字桁あふれ時の動作として、桁数を変えずに自動継続する旨が登録されている場合で、判断３１２の結果がＮＯになるときには、処理３１０へ進み、それ以降の処理を実行する。
【００５７】
このようにして、印字数字桁あふれ時の動作をあらかじめ登録しておくことができるので、ユーザの手間を軽減することができ、非常に便利である。
【００５８】
なお、上述した実施例では、カラー複写装置に本発明を適用した場合について説明したが、複写機能を備えた画像形成装置、あるいは、プリンタ装置についても、本発明を同様にして適用することができる。
【図面の簡単な説明】
【００５９】
【図１】本発明の一実施例にかかるカラー複写装置の一例を示したブロック図。
【図２】操作表示部７の具体例を示した概略図。
【図３】ジョブ連番ページ印字機能を用いて複写動作する際の処理の一例を示したフローチャート。
【図４】ジョブ連番ページ印字機能を用いた複写動作のジョブ処理の一例を示したフローチャート。
【図５】ガイダンスメッセージの一例を示した概略図。
【図６】初期設定画面の一例を示した概略図。
【図７】ジョブ連番ページ印字機能を用いた複写動作のジョブ処理の他の例を示したフローチャート。
【符号の説明】
【００６０】
１  システム制御部
２  システムメモリ
３  パラメータメモリ
５  カラースキャナ
６  カラープロッタ
７  操作表示部
８  画像処理部
【図１】
2007258859.tif 000003
【図２】
2007258859.tif 000004
【図３】
2007258859.tif 000005
【図４】
2007258859.tif 000006
【図５】
2007258859.tif 000007
【図６】
2007258859.tif 000008
【図７】
2007258859.tif 000009